【手続補正書】
【提出日】平成16年7月16日(2004.7.16)
【手続補正１】
【補正対象書類名】明細書
【補正対象項目名】全文
【補正方法】変更
【補正の内容】
【書類名】      明細書
【発明の名称】  ディジタルテレビ受信機における追加データダウンロード制御システム
【特許請求の範囲】
【請求項１】  ネットワーク経由で追加データのダウンロード情報を取得する手段と、
追加データのダウンロード開始時刻前の番組視聴中の画面にダウンロード情報を表示する手段と、
視聴者にダウンロードを実行するか否かを選択させる手段と、
実行が選択されたとき追加データのダウンロードを実行する手段とを備えたことを特徴とするディジタルテレビ受信機における追加データダウンロード制御システム。
【請求項２】  前記ダウンロード情報を表示する手段は、
ダウンロード情報の受信時刻から追加データのダウンロード開始時刻までの時間が長いときは、その後の番組視聴中の画面にダウンロード情報を表示して予告し、ダウンロード開始時刻までの時間が短いときは、ダウンロード開始時刻になるのを待ってダウンロード情報を表示する請求項１記載のディジタルテレビ受信機における追加データダウンロード制御システム。
【請求項３】  前記ダウンロード情報を予告表示したとき、視聴者にダウンロードの予約、非予約の選択をさせる手段を備えた請求項２記載のディジタルテレビ受信機における追加データダウンロード制御システム。
【請求項４】  前記ダウンロードの予約、非予約の選択をさせる手段は、
ダウンロードの予約をしたのちに番組を見た視聴者が入力電源をオフにする操作をしたとき、画面にダウンロード予約がある旨を表示し、視聴者がダウンロード実行の要否を再選択できるようにした請求項３記載のディジタルテレビ受信機における追加データダウンロード制御システム。
【請求項５】  バッテリと、入力電源がオフのとき、上記バッテリを用いて追加データのダウンロードを実行する手段とを備えた請求項１〜４のいずれかに記載のディジタルテレビ受信機における追加データダウンロード制御システム。
【請求項６】  前記バッテリを用いてダウンロードを実行する手段は、ダウンロード中にバッテリの残量が不足したとき、画面に入力電源の投入を促す表示を行い、入力電源が投入されたときは入力電源によるダウンロードに移行し、入力電源が投入されなかったときはダウンロードを中止する請求項５記載のディジタルテレビ受信機における追加データダウンロード制御システム。
【請求項７】前記バッテリを用いてダウンロードを実行する手段は、入力電源でダウンロードの実行中に入力電源がオフされた場合に、バッテリの残量が十分にあるときはバッテリでダウンロードを続行し、バッテリの残量が不足するときは画面に入力電源の再投入を促す表示を行い、入力電源が投入されたときは入力電源によるダウンロードに移行し、入力電源が投入されなかったときはダウンロードを中止する請求項５記載のディジタルテレビ受信機における追加データダウンロード制御システム。
【発明の詳細な説明】
【０００１】
【発明の属する技術分野】
この発明は、ディジタルテレビ受信機に関し、詳しくは、受信機の制御データの追加などを放送波を介してダウンロードする場合の制御システムに関する。
【０００２】
【従来の技術】
図９は従来のＣＳディジタルテレビ受信機内の受信データ処理回路を示すブロック図である。図において、１はディジタルテレビ受信機（以下、「受信機」という）で、信号を復調器２で復調し、復調信号はＤＥＭＵＸ処理部３で各要素データに分離され、分離された要素信号は、映像データと音声データについてはＡＶ処理部４により動画および音声化された後出力され、その他のデータに関してはデータ処理部５によって処理される。
【０００３】
図１０は従来のデータ処理部５を示すブロック図である。受信機の動作制御のためにＣＰＵ８が必要とするプログラムを含むデータは、不揮発性のメモリ７に格納されている。また、ＤＥＭＵＸ処理部３は復調器２から入力される復調信号の中に多重されているデータ部分をＲＡＭ９に展開する。このＲＡＭ９に展開されたデータのなかに、不揮発性メモリ７に格納されたデータを更新すべきデータが存在した場合、ＣＰＵ８は不揮発性メモリ７の当該領域を上書きすることで、データの更新を行う。
【０００４】
図１１は従来のデータダウンロード制御システムの開始時におけるフローチャートを示している。データのダウンロードが開始されると、まず、Ｓ１でダウンロード処理を指示するテーブルを受信する。このテーブルにはダウンロードすべきデータの内容が記載されている。次に、Ｓ２でこの受信されたテーブルの内容の解析を行う。次にＳ３で受信機の動作状態を調査し、現在ユーザが番組を視聴中かどうかを判断する。もし視聴中であれば、ユーザの視聴の妨げとなるダウンロード処理は行わず、次のダウンロード可能な機会に処理を行うこととし、Ｓ４で一連の処理を終了する。また、ユーザが番組を視聴中でない場合には、Ｓ５でダウンロードデータの受信可能なチャネルに選局を行い、受信を開始する。受信されたデータはＳ６で順次ＲＡＭ９に格納され、Ｓ７でその後の処理に用いられる。
【０００５】
このような従来の追加データダウンロードの制御システムにおいては、追加データダウンロードは、受信機の電源がＯＮ状態の場合で、かつユーザが受信機によって放送番組を視聴していない時間帯に追加データダウンロードが行われる場合にのみに行うことが可能であった。なぜなら、受信機の電源がＯＦＦ状態の場合にデータ受信が不可能であることは自明であり、またダウンロードすべきデータがすべての放送電波を通じて送信されてないために、視聴者が放送番組を視聴中には、そのデータを受信するためのチャネル設定に固定することが困難なためである。
このため、実際の運用においては、データダウンロードは主に番組放送終了後の夜間などに行われており、さらに番組スケジューリングにおいて連続放送を行うことのできない場合がある。
【０００６】
【発明が解決しようとする課題】
従来の追加データダウンロード制御システムでは、ユーザが追加データダウンロードに関する情報を認知する手段を持たなかったため、安定なダウンロード動作の実行の可能性が低かった。
また、ダウンロード機会を逃すことなく実行するために、常に装置の電源をオンとし、かつストリーム受信を行っている必要があり、省電力の観点から望ましくない受信機システムとせざるを得なかった。
【０００７】
この発明は上記のような課題を解消するためになされたもので、ユーザが、随時追加データダウンロードに関する情報を画像または音声で認知できる制御システムを得ることを目的とする。
【０００８】
【課題を解決するための手段】
この発明に係るディジタルテレビ受信機における追加データダウンロード制御システムは、ネットワーク経由で追加データのダウンロード情報を取得する手段と、追加データのダウンロード開始時刻前の番組視聴中の画面にダウンロード情報を表示する手段と、視聴者にダウンロードを実行するか否かを選択させる手段と、実行が選択されたとき追加データのダウンロードを実行する手段とを備えたものである。
上記構成によれば、ユーザは随時追加データのダウンロード情報を知ることができる。
【０００９】
また、前記ダウンロード情報を表示する手段は、ダウンロード情報の受信時刻から追加データのダウンロード開始時刻までの時間が長いときは、その後の番組視聴中の画面にダウンロード情報を表示して予告し、ダウンロード開始時刻までの時間が短いときは、ダウンロード開始時刻になるのを待ってダウンロード情報を表示する。
上記構成によれば、ユーザは番組の視聴時に、追加データダウンロードに関する情報を知ることができる。
【００１０】
また、前記ダウンロード情報を予告表示したとき、視聴者にダウンロードの予約、非予約の選択をさせる手段を備えている。
上記構成によれば、ユーザは、ダウンロード情報の予告表示を見て、ダウンロードを予約すれば、自動的にダウンロードすることができる。
【００１１】
また、前記ダウンロードの予約、非予約の選択をさせる手段は、ダウンロードの予約をしたのちに番組をみた視聴者が入力電源をオフにする操作をしたとき、画面にダウンロード予約がある旨を表示する。
上記構成によれば、視聴者はダウンロード実行の要否を再選択することができる。
【００１２】
また、バッテリと、入力電源がオフのとき、上記バッテリを用いて追加データのダウンロードを実行する手段とを備えている。
上記構成によれば、入力電源がオフされているときでも、バッテリを用いて追加データのダウンロードを実行することができる。
【００１３】
また、前記バッテリを用いてダウンロードを実行する手段は、ダウンロード中にバッテリの残量が不足したとき、画面に入力電源の投入を促す表示を行い、入力電源が投入されたときは入力電源によるダウンロードに移行し、入力電源が投入されなかったときはダウンロードを中止する。
上記構成によれば、バッテリを用いたダウンロード中にバッテリの残量が不足すると、画面に入力電源の再投入を促す表示がなされるので、入力電源を投入することで、ダウンロードを続行することができる。
【００１４】
また、前記バッテリを用いてダウンロードを実行する手段は、入力電源でダウンロードの実行中に入力電源がオフされた場合に、バッテリの残量が十分にあるときはバッテリでダウンロードを続行し、バッテリの残量が不足するときは、画面に入力電源の再投入を促す表示を行い、入力電源が投入されたときは入力電源によるダウンロードに移行し、入力電源が投入されなかったときはダウンロードを中止する。
上記構成によれば、入力電源でダウンロードの実行中に入力電源がオフされたとき、バッテリの残量が十分にあるとき、および入力電源が再投入されたときダウンロードを行うことができる。
【００１５】
【発明の実施の形態】
以下、この発明をその実施の形態を示す図面に基づいて具体的に説明する。
実施の形態１．
図１はこの発明の実施の形態１に係る追加データダウンロード制御システムを示すブロック図である。図において、受信機１の復調器２で復調された信号は、ＤＥＭＵＸ処理部３で各要素データとして分離されてデータ処理部６に入力され、この分離された信号のうちデータ部分は、ＲＡＭ９に格納される。不揮発性メモリ７に格納されているプログラムによって受信機１の動作を制御するＣＰＵ８は、グラフィックス処理部１０と連携することで、各種データをＣＲＴ１１の画面上に表示する。
【００１６】
図２はこの発明の実施の形態１におけるデータダウンロードの動作の開始時におけるフローチャートである。データのダウンロードが開始されると、まずＳ１でダウンロード処理を指示するテーブルを受信する。このテーブルにはダウンロードすべきデータの内容およびダウンロード開始時刻が記載されており、実際のダウンロード時刻に先立って伝送されるものとする。次にＳ２でこの受信されたテーブルの内容の解析を行う。次にＳ８で前処理Ｓ２で取得したダウンロード開始時刻まで、処理を中断し、ｗａｉｔ状態に入る。ダウンロード開始時刻になると、Ｓ３で現在ユーザが番組を視聴中かどうかを判断する。
【００１７】
ユーザが番組を視聴中でない場合には、Ｓ５でダウンロードデータの受信可能なチャネルに選局を行い受信を開始する。受信されたデータはＳ６で順次ＲＡＭ９に格納され、Ｓ７でその後の処理に用いられる。また、Ｓ３で視聴中であれば、Ｓ９でグラフィックス処理部１０で現在ダウンロード可能な更新データが到着しつつあることを画面に表示してユーザに報知し、ユーザにダウンロード実行・非実行の判断を促す。Ｓ１０でユーザがダウンロードの実行を選択した場合、それまでの番組視聴は中断され、Ｓ５でダウンロードデータの受信可能なチャネルに選局を行つて受信を開始し、受信されたデータはＳ６で順次ＲＡＭ９に格納されて、Ｓ７で不揮発性メモリ７の該当領域を上書きすることでデータの更新を行う。また、Ｓ１０でユーザがダウンロードの非実行を選択した場合には、ユーザの視聴の妨げとなるダウンロード処理は行わず、次のダウンロード可能な機会に処理を行うこととし、Ｓ４で一連の処理を終了する。
【００１８】
この実施の形態１のデータダウンロード制御システムによれば、ユーザが番組受信を行う確率の低い時間帯のみでダウンロードデータの送出を行う必要性が少なくなるので、データ送信の自由度の高いディジタルＴＶシステムを構成することが可能となり、また、ユーザは表示されたダウンロード情報をみて都合のよいときにダウンロードできるので、利便性が向上する。
【００１９】
実施の形態２．
図３はこの発明の実施の形態２に係る追加データダウンロード制御システムのダウンロード動作の開始時におけるフローチャートである。データのダウンロードが開始されると、まずＳ１でダウンロード処理を指示するテーブルを受信する。このテーブルにはダウンロードすべきデータの内容およびダウンロード開始時刻が記載されており、実際のダウンロード時刻に先立って伝送されるものとする。次にＳ２でこの受信されたテーブルの内容の解析を行う。次にＳ１３で現在の時刻とダウンロード開始時間とを比較し、その差によって判断を行う。
【００２０】
例えば、ダウンロード開始時刻が現在より数分程度であれば、そのまま開始時間を待つ。しかし、開始時間が数十分〜数時間後と、かなり後である場合は、Ｓ１４でユーザに後刻ダウンロード処理が発生する旨を、グラフィックス処理部１０からＣＲＴ１１の画面に表示する。具体的には、現在ユーザが番組視聴中であるかを調査し、視聴中であればその時点で、また視聴中でなければ、そのダウンロード開始時刻前にユーザが番組視聴を開始した時点で情報の表示を行う。ここで表示する情報としては、ダウンロードの内容および開始時刻であり、ユーザに対してその時間に受信機の電源を切らないよう、あるいは番組視聴を中断するよう判断を促す可能性のあることを表示する。表示の後、Ｓ８で当該ダウンロード開始時刻を待つｗａｉｔルーチンに入り、以下、図２のＳ３以下の処理を行う。
【００２１】
この実施の形態２の追加データダウンロード制御システムによれば、ユーザが番組受信を行う確率の低い時間帯のみでダウンロードデータの送出を行う必要性が少なくなり、また、ユーザがダウンロードの可能性のある場合に受信機の電源を落としてしまう可能性を少なくでき、さらに、データ送信の自由度の高いディジタルＴＶシステムを構成することが可能となる。
同時に、ダウンロードの可能性のある場合に情報の表示があることから、受信機の電源をＯＦＦにすることによってダウンロードの機会を逸する確率が低減できるようになるため、受信機としての省電力化を図ることが可能となる。
【００２２】
実施の形態３．
図４はこの発明の実施の形態３に係る追加データダウンロード制御システムのダウンロード開始時刻が現在よりかなり後である場合のフローチャートである。図４において、Ｓ１〜Ｓ１３における処理は、実施の形態２と同様である。次に、Ｓ１３において、ダウンロード開始時刻までの時間が長いときはＳ１４でユーザに後刻ダウンロード処理が発生する旨を、ＣＲＴ１１にグラフィックス画面により表示する。具体的には、現在ユーザが番組視聴中であるかを調査し、視聴中であればその時点で、また視聴中でなければ、そのダウンロード開始時刻前にユーザが番組視聴を開始した時点で情報の表示を行う。ここで表示する情報としては、ダウンロードの内容および開始時刻であり、ユーザに対してその時間に受信機の電源を切らないよう、あるいは番組視聴を中断するよう判断を促す可能性のあることを表示するが、Ｓ１９においてダウンロードを予約するか、予約しないかの判断をユーザに仰ぐ。
これは、当該ダウンロード動作を実行するかどうかをこの時点で判断させるものである。
【００２３】
このユーザによる判断は、リモコンあるいはフロントパネルのキーを用いて、ユーザが当該ダウンロード動作の時刻に番組を視聴せず、かつ電源を切らないことを容認するかどうかの判断を行うこととなる。もちろん、この判断に先立ち、その時点で入手している当該ダウンロード実行時刻の間に放送される番組表を表示し、ユーザの判断材料とすることも考えられる。このＳ１９の判断において、ユーザがダウンロードの予約を承認した場合にはＳ２０でダウンロード予約処理を行い、逆にダウンロードの予約を行わないと判断した場合にはＳ２１でダウンロード非予約処理を行う。Ｓ２０でダウンロード予約処理を行った場合には、Ｓ８でダウンロード開始時刻を待ち、その後ダウンロード開始時刻までユーザが受信機を利用しなかった場合でもＳ２２でダウンロード予約のあり、なしを判断し、自動的にダウンロード開始時刻が到来した時点でＳ５〜Ｓ７のダウンロード処理を開始する。また、Ｓ２１でダウンロード非予約処理を行った場合には、Ｓ２２からＳ４に進んで処理を終了する。
【００２４】
ダウンロード動作を許可・不許可したユーザ以外のユーザの判断をも仰ぐ必要がある場合には、Ｓ１９における許可・不許可の選択後の電源ＯＮ時あるいは定期的にＣＲＴ１１の画面の一部にダウンロード関係での設定が成されている旨を表示し、再度の設定確認を促す機構を設けても構わない。
また、上記動作の後、当該ダウンロード開始時刻の到来時においては、前記実施の形態１のような情報の表示を行うことで、さらにダウンロード動作の選択を適切に行うことのできるようなシステムとすることが可能である。
【００２５】
この実施の形態３によれば、ユーザが頻繁に受信機にアクセスしないような状態においても、データダウンロード動作の制御を行うことが可能となり、ダウンロードの機会を逸する可能性を低減することが可能となる。
また、ダウンロードの可能性のある場合に情報の表示があることから、受信機の電源をＯＦＦにすることによってダウンロードの機会を逸する確率を低減できるため、受信機としての省電力化を図ることが可能となる。
【００２６】
実施の形態４．
図５はこの発明の実施の形態４に係る追加データダウンロード制御システムを示すブロック図で、図１と同一符号はそれぞれ同一または相当部分を示している。図において、１２はバッテリで、外部からの電源断時においても一定時間ＣＰＵ８の動作を継続することが可能なようになっている。１３は電源監視装置で、外部から供給される電源の状態を監視し、ＣＰＵ８に連絡するように構成されている。
【００２７】
図６はこの実施の形態４の外部電源が断となったときの動作のフローチャートである。システムの電源監視装置１３が入力電源が断になったことを検出すると、、ＣＰＵ８は装置の駆動をバッテリ１２からの入力に切換えて、以降の動作を行う。図６において、まずＳ２４で近時間中にダウンロードの予約があるかどうかを検索する。予約のない場合には、バッテリ１２での動作を中止して次の電源接続時まで動作を停止する。またダウンロード予約のある場合には、Ｓ２５でユーザにダウンロードスケジュールが近時間中にあることをＣＲＴ１１に表示して警告し、電源の再接続を指示する。これによりユーザがＳ４１で電源の再接続を行った場合は、Ｓ４２でダウンロード開始時間になるのを待ち、Ｓ４３で入力電源によるダウンロードを実行する。また、Ｓ４１で電源が再接続されなかった場合はそのままバッテリ１２での動作を中止して次の電源接続時まで動作を停止する。
【００２８】
このように入力電源が断になったときバッテリ駆動によってユーザにダウンロード予約があることを報知する動作を行うことによって、ユーザが受信機の電源供給を絶ってしまうことを制限することができるため、ダウンロード動作の成功する可能性を上昇させることができる。
また、ダウンロード予約のない場合には、ユーザが安心して電源断を行うことが出来るようになり、省電力に寄与することができる。
【００２９】
実施の形態５．
図７はこの発明の実施の形態５に係るシステムの電源監視装置１３が電源断を検出した場合のデータダウンロードの動作を示すフローチャートである。電源監視装置１３が入力電源が断になったことを検出すると、ＣＰＵ８は、装置の駆動をバッテリ１２からの入力に切換えて以降の動作を行う。まずＳ２６において現在ダウンロード予約があるかどうかを検索する。予約のない場合には、バッテリでの動作を中止し、次の電源接続時まで動作を停止する。
【００３０】
また、ダウンロード予約のある場合は、Ｓ２７で現在予約のあるダウンロードに対して、ダウンロード終了までの時間の動作に必要と予想されるバッテリ量と、現状のバッテリ残量とを比較し、バッテリの残量による動作時間ではダウンロード処理が終了できないと判断した場合には、Ｓ２５でユーザに対してグラフィック表示を用いて、現在ダウンロード中であり至急電源の再接続を行うよう促す情報の表示を行う。この表示に対してユーザがＳ４１で電源の再接続を行った場合には、Ｓ４２でダウンロード開始時間になるのを待ち、Ｓ４３でで再び電源を用いてダウンロード処理を行う。また、Ｓ４１で電源の再接続が行われなかった場合には、そのままバッテリでの動作を中止し、次の電源接続時まで動作を停止する。
【００３１】
また、Ｓ２７において、現状のバッテリ残量との比較により、現状のバッテリ残量を用いた動作時間の間に予定のダウンロード処理が十分終了可能だと判断した場合には、Ｓ２８でそのままバッテリでの処理を継続してダウンロード開始時刻までｗａｉｔ状態に入る。このときに、システムでの必要最低限の機能を残して他の処理部への電源供給を遮断し、バッテリのみでの駆動時間を延長するような構成にすることで、ダウンロード動作成功の可能性を向上することが可能である。
【００３２】
次に、Ｓ２８でダウンロード開始時刻が到達すると、Ｓ２９でバッテリ１２でのダウンロード動作を行い、ダウンロード処理終了時点で装置の動作を停止する。もちろんこのときに、ダウンロード処理をバッテリ１２で実行予定であることをＣＲＴ１１にグラフィック表示してユーザに報知し、電源の再接続を促すような構成にすることも可能である。
【００３３】
このように、入力電源が断のとき、バッテリの残量に応じたダウンロード動作を行うことによって、ユーザが受信機の電源供給を絶ってしまった場合にでもダウンロード動作の成功する可能性を上昇させることができる。また、ダウンロード予約のない場合はユーザが安心して電源断を行うことができるようになり、省電力に寄与することができる。
【００３４】
実施の形態６．
図８はこの発明の実施の形態６に係るシステムの電源監視装置が電源断を検出した場合のデータダウンロードの動作を示すフローチャートである。
なお、この実施の形態６は、通常の電源による動作モードとバッテリ駆動による動作の切換時に、システムに何らかの中断を起こさないような構成がとられており、これにより、受信機がデータをダウンロード中に電源切換が発生しても、受信中のデータに欠損が発生しないものとする。
【００３５】
電源監視装置１３で入力電源の断が検出されると、ＣＰＵ８は、装置の駆動をバッテリ１２からの入力に切換えて以降の動作を行う。まずＳ３０でその時点でダウンロード実行中かどうかを判断する。非実行であれば、そのままバッテリ１２での動作を中止して次の電源接続時まで動作を停止する。また、ダウンロード実行中の場合は、Ｓ３１で現在ダウンロード中のデータのダウンロード終了までの時間と、現状のバッテリ残量とを比較し、バッテリ残量を用いた動作時間の間に現在進行中のダウンロード処理が十分終了可能だと判断した場合には、Ｓ３５でそのままバッテリでの処理を継続し、ダウンロード処理終了時点で装置の動作を停止する。もちろんこのときに、ダウンロード処理をバッテリにて実行中であることをＣＲＴ１１にグラフィック表示してユーザに報知し、電源の再接続を促すような構成にすることも可能である。
【００３６】
また、Ｓ３１において、バッテリの残量による動作時間ではダウンロード処理が終了できないと判断した場合には、Ｓ２５でユーザに対してＣＲＴ１１にグラフィック表示を用いて、現在ダウンロード中であり至急電源の再接続を行うよう促すダウンロード警告を報知する。この報知ののち、Ｓ３２で電源が再接続されたか否かの判断を行い、ユーザが電源の再接続を行った場合には、Ｓ３３で再び電源を用いたダウンロード処理を継続し、また、電源の再接続が行われなかった場合には、バッテリ１２による駆動が可能な時間の間は電源再接続を待って動作は継続するが、その後はバッテリ１２による駆動時間が終わるとＳ３４でダウンロード作業を中止する。
【００３７】
このように、ダウンロード中に入力電源が断になったときは、ユーザに入力電源の再接続を報知することでユーザが受信機の電源供給を絶ってしまうことを制限することができ、かつ、電源断の事態に陥った場合でもダウンロード動作の成功する可能性を上昇させることができる。
【００３８】
上記各実施の形態では、ユーザへの情報の報知、表示、警告などをＣＲＴにグラフィック画像で表示したが、音声によりユーザに報知する構成としても同様の効果が得られる。もちろん画像と音声の両用としてユーザへの訴求効果を上げることでさらに効果的な情報提供ができることは言うまでもない。
【００３９】
【発明の効果】
この発明は、以上説明したように構成されているので、以下に示すような効果を奏する。
【００４０】
追加データダウンロードスケジュールをネットワーク経由で取得し、ユーザに対して追加データダウンロード可能時にその旨を報知手段で知らせてダウンロードを実行するか否かを選択させ、実行が選択されたときは追加データのダウンロードを実行するようにしたので、データ送信スケジューリングの自由度の高いディジタルＴＶシステムを構成することが可能となる。同時に、受信機としての省電力化を図ることが可能となる。
また、ダウンロードの機会を逸する可能性を低減し、加えてダウンロード動作の成功する可能性を上昇させることができる。
【００４１】
また、バッテリと、入力電源が断の時に、上記バッテリを電源として追加データのダウンロードを実行する手段とを備えたので、受信機の電源が断たれているときでも、ユーザの選択に応じて追加データのダウンロードを実行することができるので、データ送信スケジューリングの自由度の高いディジタルＴＶシステムを構成することが可能ととなると同時に、ダウンロード動作の成功する可能性を上昇させることができ、また省電力に寄与することができる。
【図面の簡単な説明】
【図１】  この発明の実施の形態１に係るダウンロード制御システムを示すブロック図である。
【図２】  実施の形態１のデータダウンロードのフローチャートである。
【図３】  この発明の実施の形態２のデータダウンロードのフローチャートである。
【図４】  この発明の実施の形態３のデータダウンロードのフローチャートである。
【図５】  この発明の実施の形態４に係るダウンロード制御システムを示すブロック図である。
【図６】  実施の形態４のデータダウンロードのフローチャートである。
【図７】  この発明の実施の形態５のデータダウンロードのフローチャートである。
【図８】  この発明の実施の形態６のデータダウンロードのフローチャートである。
【図９】  従来のディジタルテレビ受信機のブロック図である。
【図１０】  従来のディジタルテレビ受信機の信号伝送系の構成を示すブロック図である。
【図１１】  従来のディジタルテレビ受信機におけるダウンロード開始動作のフローチャートである。
【符号の説明】
１  ディジタルテレビ受信機、２  復調器、３  ＤＥＭＵＸ処理部、６  データ処理部、７  不揮発性メモリ、８  ＣＰＵ、９  ＲＡＭ、１０  グラフィックス処理部、１１  ＣＲＴ、１２  バッテリ、１３  電源監視装置。
【手続補正２】
【補正対象書類名】図面
【補正対象項目名】図２
【補正方法】変更
【補正の内容】
【図２】
2000278621.tif 000001
【手続補正３】
【補正対象書類名】図面
【補正対象項目名】図３
【補正方法】変更
【補正の内容】
【図３】
2000278621.tif 000002
【手続補正４】
【補正対象書類名】図面
【補正対象項目名】図４
【補正方法】変更
【補正の内容】
【図４】
2000278621.tif 000003
【手続補正５】
【補正対象書類名】図面
【補正対象項目名】図６
【補正方法】変更
【補正の内容】
【図６】
2000278621.tif 000004
【手続補正６】
【補正対象書類名】図面
【補正対象項目名】図７
【補正方法】変更
【補正の内容】
【図７】
2000278621.tif 000005
【手続補正７】
【補正対象書類名】図面
【補正対象項目名】図８
【補正方法】変更
【補正の内容】
【図８】
2000278621.tif 000006
【手続補正８】
【補正対象書類名】図面
【補正対象項目名】図１１
【補正方法】変更
【補正の内容】
【図１１】
2000278621.tif 000007